【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
線状材が巻き取られ得る回転要素と、
第１のハウジング部と、
第２のハウジング部と、
前記第１のハウジング部に連結される第１の端部と、前記第２のハウジング部に連結される第２の端部とを有するスピンドル部材であって、前記スピンドル部材により画定されるスピンドル軸線周りを前記回転要素が回転し得るように前記回転要素の開口部を延びる、スピンドル部材と、
前記回転要素を囲み、前記第１のハウジング部と前記第２のハウジング部との間に配置された中間ハウジング部であって、線状材が中を延び得る孔を有し、前記回転要素とは別々に前記スピンドルの軸線周りを回転し得る、中間ハウジング部と、
前記線状材を前記回転要素に巻き取る方向に前記回転要素が回転するとき、前記第１のハウジング部および第２のハウジング部に対する前記中間ハウジング部の回転を制限するように構成された機構と、
を備え、
前記第１のハウジング部、第２のハウジング部、および中間ハウジング部が、ともに前記ドラム用のハウジングを形成する、リール。
【請求項２】
前記第１のハウジング部、第２のハウジング部、およびスピンドル部材は、相互に固定される請求項１に記載のリール。
【請求項３】
前記中間ハウジング部は、前記スピンドルの軸線周りを少なくとも３６０°自由に回転し得る請求項１に記載のリール。
【請求項４】
前記スピンドル部材は、前記第１のハウジング部と一体的に形成される請求項１に記載のリール。
【請求項５】
前記回転要素を前記スピンドル部材に対して回転させるように構成されたモータをさらに備える請求項１に記載のリール。
【請求項６】
前記モータは、歯車減速アセンブリにより前記回転要素を回転させるように構成される請求項５に記載のリール。
【請求項７】
前記モータは、前記回転要素の環状歯車を回転させるように構成される請求項５に記載のリール。
【請求項８】
前記モータを制御するように構成された遠隔制御部をさらに備える請求項５に記載のリール。
【請求項９】
前記遠隔制御部は、前記回転要素に巻き取られる線状材の端部にまたは端部の近くに固定される請求項８に記載のリール。
【請求項１０】
閾値を超える前記リール温度の検出に応答して電源コネクタへの電力を遮断するように構成された１つまたはそれ以上の温度感知スイッチをさらに備え、前記電源コネクタは、前記回転要素に巻き取られ得る電気コードに接続されるように構成される請求項１に記載のリール。
【請求項１１】
前記スイッチは、前記電気コードが巻き取られる前記回転要素表面の検出温度に反応するように構成される請求項１０に記載のリール。
【請求項１２】
前記回転要素は、
実質的に円筒形の部材と、
当該円筒形部材の第１の端部の第１のエンドプレートと、
前記円筒形部材の第２の端部の第２のエンドプレートと、
を含み、
前記リールは、さらに、
前記第１のエンドプレートの同心の一組の導電リングと、
前記第２のエンドプレートに装着され、前記回転要素に巻き取られる電気コードに電力を供給するように構成され、前記リングと導電する、電源コネクタと、
前記回転要素の回転中に前記リングと電気的接触状態に維持される一組の導電接触要素であって、電力が前記接触要素、リング、および電源コネクタを流れて前記巻き取られたコードに供給され得るように、電源と導電状態になるように形成される、一組の導電接触要素と、
を備える、請求項１に記載のリール。
【請求項１３】
前記第１のハウジング部、第２のハウジング部、および中間ハウジング部は、組み立てられると、実質的に球形をともに形成する請求項１に記載のリール。
【請求項１４】
前記第１のハウジング部に装着される第１の支持構造体をさらに備え、当該第１の支持構造体は、前記第１のハウジング部の概ね両側に配置された２つの取っ手部を含む請求項１に記載のリール。
【請求項１５】
前記第２のハウジング部に装着される第２の支持構造体をさらに備え、当該第２の支持構造体は、前記第２のハウジング部の概ね両側に配置される２つの取っ手部を含む、請求項１４に記載のリール。
【請求項１６】
壁または天井に固定されるように構成された装着要素をさらに備え、当該装着要素は、前記取っ手部の２つにロックすることにより、前記リールを支持するように構成される請求項１５に記載のリール。
【請求項１７】
前記装着要素は、前記第１の支持構造体の取っ手部の一方と、前記第２の支持構造体の取っ手部の一方とにロックされるように構成される請求項１６に記載のリール。
【請求項１８】
前記装着要素は、前記第１の支持構造体または前記第２の支持構造体いずれかの両方の前記取っ手部にロックされるように構成される請求項１６に記載のリール。
【請求項１９】
前記装着要素は、
壁または天井に装着されるように構成された概ね平坦な要素と、
前記取っ手部の１つを受け入れるような大きさおよび形状の、前記平坦な要素の第１の端部のフック部材と、
前記取っ手部の１つを受け入れるような大きさおよび形状の凹所を画定する、前記平坦な要素の第２の端部のラッチ部材と、
を備え、
前記装着要素の構成は、前記取っ手部の１つが前記フック部材内に受け入れられると、前記リールが前記フック部材の周りを、他の前記取っ手部の１つが部分的に前記ラッチ部材の方に片寄って前記凹所に嵌るように、回転させられるようなものである請求項１６に記載のリール。
【請求項２０】
前記複数のハウジング部の少なくとも１つのハウジング部に固定される１つまたはそれ以上の支持構造体をさらに備え、当該前記１つまたはそれ以上の支持構造体は、前記リールの向きに拘わらず、前記ハウジング部が概ね平坦な支持面と接触することを妨げるように構成される請求項１に記載のリール。
【請求項２１】
線状材が巻き取られ得る回転要素と、
第１のハウジング部と、
前記第１のハウジング部と同様の構成を有する、第２のハウジング部と、
前記第１のハウジング部に連結される第１の端部と、前記第２のハウジング部に連結される第２の端部とを有する長いスピンドル部材であって、前記スピンドル部材により画定されるスピンドル軸線周りを前記回転要素が回転し得るように、前記回転要素の開口部を延びる、長いスピンドル部材と、
前記回転要素を囲み、前記第１のハウジング部と前記第２のハウジング部との間に配置された中間ハウジング部であって、線状材が中を延び得る孔を有し、前記回転要素とは別々に前記スピンドルの軸線周りを回転し得る中間ハウジング部と、
前記複数のハウジング部の少なくとも１つのハウジング部に固定され、前記リールの向きに拘わらず、前記ハウジング部が概ね平坦な面と接触することを妨げるように構成された１つまたはそれ以上の支持構造体と、
を備えるリール。
【請求項２２】
線状材が巻き取られ得る回転要素と、
第１のハウジング部と、
前記第１のハウジング部と同様の構成を有する、第２のハウジング部と、
前記第１のハウジング部に連結される第１の端部と、前記第２のハウジング部に連結される第２の端部とを有するスピンドル部材であって、前記スピンドル部材により画定されるスピンドル軸線周りを前記回転要素が回転し得るように、前記回転要素の開口部を延びる、スピンドル部材と、
前記回転要素を囲み、前記第１のハウジング部と前記第２のハウジング部との間に配置された中間ハウジング部であって、線状材が中を延び得る孔を有し、前記回転要素とは別々に前記スピンドルの軸線周りを回転し得る、中間ハウジング部と、
線状材を前記ドラムに巻き付ける第１の方向に前記回転要素を回転させ、また、前記回転要素から線状材を繰り出す、第１の方向とは反対の第２の方向に前記回転要素を回転させるように構成されたモータと、
前記第１のハウジング部に対する前記中間ハウジング部の回転を制限する第１の位置と、前記中間ハウジング部の回転を制限しない第２の位置と、を有し、前記回転要素を前記第１の方向に回転させるとき前記第１の位置に移動するように構成された機構と、
を備えるリール。
【請求項２３】
電気コードが巻き取られる回転要素と、
前記コードへの接続用の、前記回転要素の電源コネクタと、
第１のハウジング部と、
第２のハウジング部と、
前記第１のハウジング部に連結される第１の端部と、前記第２のハウジング部に連結される第２の端部とを有するスピンドル部材であって、前記スピンドル部材により画定されるスピンドル軸線周りを前記回転要素が回転し得るように、前記回転要素の開口部を延びる、スピンドル部材と、
前記回転要素を囲み、前記第１のハウジング部と前記第２のハウジング部との間に配置された中間ハウジング部であって、線状材が中を延び得る孔を有し、前記回転要素とは別々に前記スピンドルの軸線周りを回転し得る、中間ハウジング部と、
前記リールの温度を検出し、閾値を超える温度の検出に応答して前記電源コネクタに供給される電力を遮断するように構成された１つまたはそれ以上のスイッチと、
を備えるリール。
【請求項２４】
線状材を巻き取る方法であって、
線状材を回転要素に巻き取るステップと、
第１のハウジング部と、第２のハウジング部とを設置するステップと、
スピンドル部材により画定されるスピンドル軸線周りに前記回転要素を回転させるステップであって、前記スピンドル部材は、前記第１のハウジング部に連結された第１の端部と、前記第２のハウジング部に連結された第２の端部とを有し、前記回転要素の開口部を通って延びる、回転ステップと、
前記第１のハウジング部と前記第２のハウジングとの間に中間ハウジング部を設置するステップであって、前記中間ハウジング部は、前記線状材が延びる孔を有し、前記第１のハウジング部、第２のハウジング部、および中間ハウジング部は、前記回転要素用のハウジングをともに形成する、設置ステップと、
前記ドラムとは別々に前記中間ハウジング部を前記スピンドルの軸線周りに回転させるステップと、
前記線状材を前記回転要素に巻き取る方向に前記回転要素が回転している間、前記第１のハウジング部および前記第２ハウジング部に対する前記中間ハウジング部の回転を制限するステップと、
を含む方法。
【請求項２５】
前記中間ハウジング部の回転ステップは、前記中間ハウジング部を前記スピンドルの軸線周りに少なくとも３６０°回転させるステップを含む請求項２４に記載の方法。
【請求項２６】
前記第１のハウジング部、第２のハウジング部、およびスピンドル部材を相互に相対位置に固定するステップをさらに含む請求項２４に記載の方法。
【請求項２７】
前記スピンドル部材が、前記第１のハウジング部と一体的に形成される請求項２４に記載の方法。
【請求項２８】
前記ドラム回転ステップは、前記回転要素を回転させるモータを作動させるステップを含む請求項２４に記載の方法。
【請求項２９】
前記モータ作動ステップは、歯車減速アセンブリにより前記回転要素を回転させるモータを作動させるステップを含む請求項２８に記載の方法。
【請求項３０】
前記モータは、電動式であり、前記方法は、
前記リールの温度を検出するための温度センサを設置するステップと、
閾値を超える前記リールの温度を前記センサが検出したことに応答して、前記モータへの電力を自動的に遮断するスイッチを設置するステップと、
をさらに含む請求項２８に記載の方法。
【請求項３１】
温度センサ設置ステップは、線状材が巻き取られる前記回転要素の表面の温度を検出するセンサを設置するステップを含む請求項３０に記載の方法。
【請求項３２】
前記回転要素回転ステップは、前記回転要素の環状歯車を回転させるステップを含む請求項２８に記載の方法。
【請求項３３】
前記回転要素に線状材を巻き取るステップは、
実質的に円筒形の部材の第１の端部に第１のエンドプレートを有し、前記円筒形部材の第２の端部に第２のエンドプレートを有する円筒形部材を設置するステップと、
前記エンドプレート同士の間の前記円筒形部材に電気コードを巻き付けるステップと、を含み、前記方法は、
前記第１のエンドプレートに一組の同心の導電リングを設置するステップと、
前記ドラムに巻き取られるコードと前記リングとが導電するように、前記回転要素を構成するステップと、
前記回転要素の回転中に一組の導電性接触要素を前記スリップリングと電気的接触状態に維持するステップと、
前記接触要素を電源と電気的に接続するステップと、
電源コネクタと、前記電気コードのプラグとを前記第２のエンドプレート上に収容するステップと、
をさらに含み、
前記電源コネクタは、前記プラグと前記スリップリングとに電気的に接続される請求項２４に記載の方法。
【請求項３４】
前記第１ハウジング部、第２ハウジング部、および中間ハウジング部は、組み立てられると、ともに実質的に球形を形成する請求項２４に記載の方法。
【請求項３５】
第１の支持構造体を前記第１のハウジング部に装着するステップをさらに含み、前記第１の支持構造体は、前記第１のハウジング部の概ね両側に配置された２つの取っ手部を含む請求項２４に記載の方法。
【請求項３６】
前記第１の支持構造体の装着ステップは、一対の長い装着部を前記第１のハウジング部の両側に装着するステップを含み、各装着部は、一方の端部が一方の前記取っ手部の端部に結合され、他方の端部が他方の前記取っ手部の端部に結合され、前記取っ手部の端部は、一方の端部が一方の前記装着部に、他方の端部が他方の前記装着部にそれぞれ結合される請求項３５に記載の方法。
【請求項３７】
第２の支持構造体を前記第２のハウジング部に装着するステップをさらに含み、前記第２の支持構造体は、第２のハウジング部の概ね両側に配置される２つの取っ手部を含む前記請求項３５に記載の方法。
【請求項３８】
装着要素を前記複数の取っ手部の２つの取っ手部にロックするステップと、
前記装着要素を壁または天井に固定するステップと、
をさらに含む請求項３７に記載の方法。
【請求項３９】
前記装着要素ロックステップは、前記装着要素を、前記第１の支持構造体の前記取っ手部の一方にロックし、かつ前記第２の支持構造体の前記取っ手部の一方にロックするステップを含む請求項３８に記載の方法。
【請求項４０】
前記装着要素ロックステップは、前記装着要素を、前記第１の支持構造体または前記第２の支持構造体のいずれかの前記取っ手部の両方にロックするステップを含む請求項３８に記載の方法。
【請求項４１】
概ね平坦な要素を設置するステップと、
前記平坦な要素の第１の端部に対して固定され、前記取っ手部の一方の取っ手部を受け入れるような大きさおよび形状のフック部材を設置するステップと、
前記平坦な要素の第２の端部に固定され、前記取っ手部の一方の取っ手部を受け入れるような大きさおよび形状の凹所を画定するラッチ部材を設置するステップと、
前記平坦な要素を壁または天井に装着するステップと、
前記取っ手部の１つを前記フック部材内に受け入れるステップと、
前記リールを前記フック部材の周りに、前記他方の取っ手部の一方の取っ手部が部分的に前記ラッチ部材の方に片寄って凹所に嵌るように回転させるステップと、
をさらに含む請求項３７に記載の方法。
【請求項４２】
１つまたはそれ以上の支持構造体を前記ハウジング部の少なくとも１つのハウジング部に固定するステップをさらに含み、前記１つまたはそれ以上の支持構造体は、前記リールの向きに拘わらず、前記ハウジング部が概ね平坦な支持面と接触することを妨げるように構成される請求項２４に記載の方法。
【請求項４３】
リール回転要素をともに囲む複数のハウジング部を有するリールハウジングに装着するための装置であって、当該装置は、
前記リールハウジングの下ハウジング部に装着されるように構成され、概ね前記下ハウジング部の両側に配置されるように構成された２つの長い取っ手部を含み、概ね平坦な下支持面上において前記リールハウジングを支持するように構成された、第１の支持構造体と、
前記リールハウジングの上ハウジング部に装着されるように構成され、概ね前記上ハウジング部の両側に配置されるように構成された２つの長い取っ手部を含み、前記リールハウジングの上下が逆になると、概ね平坦な下支持面において前記リールハウジングを支持するように構成された、第２の支持構造体と、
前記第１および第２の支持構造体は、前記リールハウジングの向きに拘わらず、前記リールハウジングが概ね平坦な面と接触することを妨げるように構成される、装置。
【請求項４４】
前記機構は、電気機構を含む請求項２２に記載のリール。
【請求項４５】
前記機構は、電磁式のものを含む請求項２２に記載のリール。
【請求項４６】
外面に対してリールを装着するための装着要素であって、
前記外面に装着されるように構成された本体と、
前記本体から延び、線状体を巻き取る前記リールの一対の伸長部材と連携して締め付けるように構成された、前記一対の締め付け部材と、
を備えた装着要素。
【請求項４７】
後退位置にある前記機構は、前記第１及び第２のハウジング部に対する前記中間ハウジング部の回転を制限し、
非制限位置にある前記機構は、前記第１及び第２のハウジング部に対する前記中間ハウジング部の回転を制限しない、請求項１に記載のリールアセンブリ。
【請求項４８】
前記機構は、ソレノイドを有する、請求項１に記載のリールアセンブリ。
【請求項４９】
電気コードを巻き取り可能な回転要素と、
前記回転要素上にあり、機械的および電気的に前記電気コードに結合するよう構成された電源コネクタであって、リールは電源に連結するとともに前記電源から前記電源コネクタへ電力を運ぶように構成された、前記電源コネクタと、
前記リールまたは前記電気コードの温度が閾値を超えると、前記電源から前記電源コネクタへの電力を切るように構成された１つ以上のスイッチと、
を備えたリール。
【請求項５０】
電気コードを巻き取り可能な回転要素と、
電源から前記電気コードに電力を供給するように構成された電源コネクタと、
リールまたは前記電気コードの温度を検出し、検出した温度を示す温度信号を発生させるように構成された少なくとも１つのセンサと、
検出された温度が閾値を超えると、前記センサから温度信号を受取り、前記電源から前記電気コードへの電力を切るように構成された少なくとも１つのスイッチと、
を備えた、リール。
【請求項５１】
電気コードを巻き取り可能な回転要素と、
前記回転要素上にあり、機械的および電気的に前記電気コードに結合するよう構成された電源コネクタであって、リールは前記電源コネクタと前記電気コードに電力を供給する電源に結合されるように構成された、前記電源コネクタと、
前記リール上またはリール内に配置された漏電遮断器であって、当該漏電遮断器へ入る入力電流が当該漏電遮断器からの出力電流と等しくないとき、前記電源から前記電源コネクタへの電流の流れを無効とするように構成された前記電気遮断機と、
を備えた、リール。
【請求項５２】
電気コードを電気的に動かす方法であって、
回転要素を有するリールを供給するステップと、
前記回転要素の周りに前記電気コードを巻き取るステップと、
前記コードが前記回転要素に巻き取られている間に前記コードに電力を届けるステップと、
前記コードへの前記電力の送出を打ち切ることによって、決められた温度閾値を超えた前記リールまたは前記電気コードの温度の検出に応答するステップと、
を備えた、方法。
【請求項５３】
電気コードを電気的に動力供給する方法であって、
回転要素を有するリールを備えるステップと、
前記回転要素の周りに前記電気コードを巻き取るステップと、
コードが前記回転要素に巻き取られているあいだに前記コードに電力を送るステップと、
前記コードへの電流の送出を終わらせることによって、前記リール内またはリール上で、前記コードへ流れる電流と前記コードから戻る電流との不均衡の検出に応答するステップと、
を含む、方法。